(57)【特許請求の範囲】
【請求項１】
互いに対向する一対の側板と底板とを有するロアーケースと、このロアーケースの後端側において枢支され、互いに対向する一対の側板と底板とを有するアッパーケースとからなり、前記アッパーケースを前記ロアーケースの両側板間に係入することにより、両ケースの底板間にカード搬送路が形成され、前記アッパーケースをロアーケースから離間させるように回動させることにより前記カード搬送路が開放されるカードリーダにおいて、前記アッパーケースを前記ロアーケースの両側板間に係入することにより、前記アッパーケースの側板内に嵌入する係合部を前記ロアーケースの側板に設け、この係合部に係脱自在な係合部材を前記アッパーケースに設けるとともに、この係合部材に操作部を一体に設け、この係合部材を前記操作部とともに前記アッパーケースの両側板間によって挟まれた空間内に収容し、かつ水平方向に移動自在に支持したことを特徴とするカードリーダ。
【発明の詳細な説明】
【０００１】
【発明の属する技術分野】
本発明は、磁気カードやＩＣカードを処理するためにカード搬送路内を搬送させるカードリーダに関し、特に、ロアーケースとこれに枢支されたアッパーケースとからなり、これら両ケースによって形成されるカード搬送路を開閉自在としたカードリーダに関する。
【０００２】
【従来の技術】
一般に、この種のカードリーダにおいては、カード搬送路内でカードが詰まった場合にカードを取り除く必要があることや、カード搬送路内に設けた磁気ヘッド等に付着した汚れを拭き取る必要があり、このためにカード搬送路を開放可能とする構造が要求されていた。そして、カード搬送路を閉じたときに、カード搬送路の厚み方向の間隔を一定に保つために、カード搬送路を形成するロアーケースとアッパーケースとの間に係合手段が設けられている。この種のカード搬送路を適用したカードリーダとして特許２９７６０９３号公報に開示されたものがある。
【０００３】
ここに開示されたものは、ロアーケースと、このロアーケースの後端部において枢支されたアッパーケースとからなり、ロアーケースに対してアッパーケースを対向させることによりカード搬送路が形成され、アッパーケースをロアーケースから離間させるように回動させることにより、カード搬送路が開放される。ロアーケースの前端部には係合孔が設けられた挿入口部材が固定され、アッパーケースの前端部には、揺動自在に支持された操作部材と、この操作部材に連動して移動し前記係合孔に係入されるピンと、操作部材を付勢しピンを係合孔に係入させる方向に付勢する付勢手段とが設けられている。付勢手段の付勢力によってピンが係入孔に係入されカード搬送路が閉じられた状態からカード搬送路を開放する場合には、操作部材を付勢手段の付勢力に抗して回動操作し、ピンを係入孔から外すことによって行う。
【０００４】
【発明が解決しようとする課題】
しかしながら、上述した従来のカードリーダにおいては、操作部材を揺動させる構造としているために、操作部材がアッパーケースの上面から突出してしまい、このためアッパーケースの上面側にこの操作部材の動作空間を必要としていた。また、操作部材の揺動動作に連動してピンを前後に移動させる構造としているために、ピンが係入される係入孔をカード挿入口部材に設けなければならないため、カード挿入部材を必要としていた。このため、装置が前後方向に大きくなるばかりではなく、操作部材を揺動動作させ、これと連動するピンをスライド動作させるために、構造が複雑になっていた。
【０００５】
本発明は上記した従来の問題に鑑みなされたものであり、その目的とするところは、装置の小型化を図るとともに、構造が簡単なカードリーダを提供することにある。
【０００６】
【課題を解決するための手段】
この目的を達成するために、本発明は、互いに対向する一対の側板と底板とを有するロアーケースと、このロアーケースの後端側において枢支され、互いに対向する一対の側板と底板とを有するアッパーケースとからなり、前記アッパーケースを前記ロアーケースの両側板間に係入することにより、両ケースの底板間にカード搬送路が形成され、前記アッパーケースをロアーケースから離間させるように回動させることにより前記カード搬送路が開放されるカードリーダにおいて、前記アッパーケースを前記ロアーケースの両側板間に係入することにより、前記アッパーケースの側板内に嵌入する係合部を前記ロアーケースの側板に設け、この係合部に係脱自在な係合部材を前記アッパーケースに設けるとともに、この係合部材に操作部を一体に設け、この係合部材を前記操作部とともに前記アッパーケースの両側板間によって挟まれた空間内に収容し、かつ水平方向に移動自在に支持したものである。
したがって、アッパーケースの係合部材が係合する部材を直接ロアーケースに設けたので、別部材として設ける必要がない。
【０００８】
【発明の実施の形態】
以下、本発明の実施の形態を図を用いて説明する。図１は本発明に係るカードリーダにおいてカード搬送路を開いた状態を示す側断面図、図２は同じくロアーケースの平面図である。図３は同じくアッパーケースを示し、同図（ａ）は平面図、同図（ｂ）は同図（ａ）におけるIII（ｂ）-III（ｂ） 線断面図、同図（ｃ）は同図（ａ）におけるIII（ｃ）-III（ｃ） 線断面図である。図４は同じくカード搬送路を閉じる動作を示す要部の側断面図で、同図（ａ）はカード搬送路を閉じ始めた状態を示し、同図（ｂ）は突起が係合部に係合し始めた状態を示し、同図（ｃ）は係合部材が移動し始めた状態を示し、同図（ｄ）はカード搬送路が閉じた状態を示す。図５は同じくカード搬送路を開放する動作を示す要部の側断面図で、同図（ａ）はカード搬送路を閉じた状態を示し、同図（ｂ）は係合部材を移動させ突起との係合を解除した状態を示し、同図（ｃ）はカード搬送路を開いた状態を示す。
【０００９】
図１において、全体を符号１で示すカードリーダは、共にプラスチックによって形成されたロアーケース２とアッパーケース３とによって構成されている。図１および図２において、ロアーケース２は、後板１０と、この後板１０の両側端と中央に互いに対向するように突設された３枚の側板１１，１２，１３と、側板１１，１２および後板１０によって形成された空間を上下に仕切る底板としての仕切板１４とによって一体に形成されている。
【００１０】
１５は後板１０，側板１１、１２によって囲まれた収納空間であって、側板１１，１２との間に掛け渡された支持板１６には、正逆方向に駆動されるモータ１７が固定されている。モータ１７のモータ軸にはウォーム１８が軸着され、側板１１，１２間に回転自在に軸支された軸２０には、ウォーム１８と噛合するウォームホイール１９が軸着されている。
【００１１】
２２は後板１０、側板１２，１３、仕切板１４とによって囲まれた係入凹部であって、上方と前方が開口し、この係入凹部２２には前記アッパーケース３が係入される。仕切板１４には、Ｌ字状の窓２３が設けられ、側板１２，１３には互いに対向する一対の突起２４，２４が突設され、これら突起２４，２４は断面が扇形に形成され、下端に水平方向に延在する係合面２４ａが形成されている。２５は側板１３に固定された磁気ヘッド、２６は前記軸２０の側板１２から突出された突出端部に軸着された駆動ローラ、２７は側板１２に支承された軸２８に回転自在に支持された従動ローラ、２９は駆動ローラ２６と従動ローラ２７間に張架された搬送ベルトである。これら磁気ヘッド２５、両ローラ２６，２７，駆動ベルト２９は仕切板１４の下方に位置付けられ、磁気ヘッド２５の上面と駆動ベルト２９の上面は、窓２３から仕切板１４の上方に臨んでいる。３０はロアーケース２の下面全体を覆う底面板であり、ロアーケース２の上面側については、前記収納空間１５の上方のみを上面板（図示せず）が覆っている。
【００１２】
次に、図３を用いてアッパーケース３について説明する。
アッパーケース３は、底板３１と、この底板３１を囲むようにこの底板３１の端縁に立設された前板３２、両側板３３，３４および後板３５とによって一体に形成されている。両側板３３，３４間の外形寸法は、前記ロアーケース２の側板１２，１３間の内形寸法よりもわずかに小さく形成されており、このアッパーケース３は、前記ロアーケース２の係入凹部２２に係入できるように形成されている。
【００１３】
同図（ｂ）、（ｃ）および図１に示すように、両側板３３，３４には、下端が開口した略逆Ｕ字状の嵌入孔３３ａ，３４ａが互いに対向するように穿設されている。図３（ａ）において、４０は上述した磁気ヘッド２５に圧接されるタッチローラであって、側板３４および底板３１の軸支承部（図示せず）に支承された軸４１に回転自在に支持されている。このタッチローラ４０の下端部は、側板３４に支承された軸４２に巻回されたねじりコイルばね４３のねじりモーメントによって、底板３１に穿設された窓４４から底板３１の下方に露呈している。
【００１４】
４５，４５はピンチローラであって、カードの搬送方向、すなわち図中矢印Ａ−Ｂ方向に並べられ、側板３３および底板３１の軸支承部（図示せず）に支承された軸４６，４６に回転自在に支持されている。これらピンチローラ４５，４５間には、従動ベルト４８が張架され、この従動ベルト４８の下方側は、板ばね４７，４７の付勢力によって、底板３１に穿設された窓４９から底板３１の下方に露呈している。
【００１５】
同図（ａ）、（ｃ）において、底板３１上には、矢印Ａ−Ｂ方向に延在するように３個の凸条体５２が突設されているとともに、ストッパ５３とばね掛け止め片５４が突設されている。このアッパーケース３の上方開口部は、カバー５６によって覆われており、このカバー５６には平面視Ｕ字状の操作孔５７が設けられている。このアッパーケース３は、前記ロアーケース２の側板１２，１３間に横架された軸５８を介して、後端部が枢支されている。図４（ａ）に示すように、このアッパーケース３をロアーケース２の側板１２，１３間に係入することにより、ロアーケース２の仕切板１４とアッパーケース３の底板３１とによってカード挿入口６１を有するカード搬送路６０が形成される。また、軸５８を回動中心として、同図（ｃ）に示すように、アッパーケース３を図中反時計方に回動させ、底板３１を仕切板１４から離間させることにより、カード搬送路６０が開放される。
【００１６】
次に、図３を用いて本発明の特徴である係合部材６５について説明する。
係合部材６５は、略直方体状の本体６６と、この本体６６の一方の側部に設けられた腕部６７と、他方の側部に連結部６８を介して腕部５７と互いに対向するように設けられた腕部６９とによって一体に形成されている。同図（ｃ）に示すように、本体６６の下部と連結部６８の下部には、前記アッパーケース３の底板３１のガイド凸条５２に嵌合するガイド溝７０，７１が設けられ、上端面には、矢印Ａ−Ｂ方向と直交する方向に延在する操作部７２が突設されている。前記一対の腕部６７，６９の矢印Ｂ方向の端部には、前記ロアーケース２の突起２４，２４に対応する係合部７３，７３が設けられている。これら係合部７３，７３の上端面には、係合面２４ａ，２４ａに係合する水平方向に延在する係合面７３ａ，７３ａが形成され、前端面には、傾斜するように形成された摺接面７３ｂ，７３ｂが形成されている。
【００１７】
このような構造の係合部材６５の連結部６８は従動ベルト４８の下方に位置付けられ、ガイド溝７０，７１がアッパーケース３の凸条体５２に嵌合することにより、係合部材６５はこの凸条体５２によって矢印Ａ−Ｂ方向に案内されるようにして、底板３１上を摺動自在に支承されている。アッパーケース３のばね掛け止め片５４と、係合部材６５のばね掛け止め部（図示せず）の間には、引張りコイルばね７５が掛け渡され、係合部材６５が矢印Ｂ方向に引っ張られ、本体６６がストッパ５３に係止されている。このような状態の係合部材６５の操作部７２は、図３（ｂ）に示すように、カバー５６の操作孔５７内に嵌入し、この操作部７２の上端は、カバー５６の表面と同じ面位置に位置付けられ、カバー５６から突出していない。
【００１８】
このような構成において、アッパーケース３をロアーケース２の係入凹部２２内に係入させるために、アッパーケース３を図１に示す状態から軸５８を回動中心として図中時計方向に回動させると、図４（ａ）に示すように、アッパケース３の嵌入孔３３ａ，３４ａ（嵌入孔３４ａは図示せず）の開口に、ロアーケース２の側板１２，１３の突起２４，２４が嵌入する。したがって、これら突起２４，２４は嵌入孔３３ａ，３４ａからアッパーケース３の両側板３３，３４内に嵌入し、同図（ｂ）に示すように、突起２４は係合部材６５の係合部７３の摺接面７３ｂに係合する。
【００１９】
さらに、アッパーケース３を時計方向に回動させると、同図（ｃ）に示すように、突起２４に係合する係合部７３の摺接面７３ｂが傾斜するように形成されているので、係合部材６５は引張りコイルばね７５の引張力に抗して図中矢印Ａ方向に移動する。同図（ｄ）に示すように、突起２４の係合面２４ａに係合部７３の係合面７３ａが対応すると、係合部材６５が引張りコイルばね７５の引張力によって矢印Ｂ方向に移動し、突起２４の係合面２４ａに係合部７３の係合面７３ａが係合する。
【００２０】
したがって、アッパーケース３の前端部が図中反時計方向に回動するのが規制されるので、アッパーケース３の底板３１とロアーケース２の仕切板１４との間にカード搬送路６０が形成され、図１における駆動ベルト２９に従動ベルト４８が対接する。この状態で、磁気カード８０をカード挿入口６１から挿入すると、図２において、モータ１７が正方向に駆動されるので、モータ軸に軸着されたウォーム１８の回転は、ウォームホイール１９、軸２０を介して駆動ローラ２６に伝達され、駆動ベルト２９が矢印Ａ方向に走行する。
【００２１】
駆動ベルト２９に対接する従動ベルト４８も追従して同じ方向に走行するので、カード搬送路６０内に挿入された磁気カード８０は、これら両ベルト２９，４８に挟持され矢印Ａ方向に搬送され、磁気ヘッド２５によって磁気データが処理される。処理が終了したら、モータ１７が逆方向に駆動され、両ベルト２９，４８が矢印Ｂ方向に走行するので、磁気カード８０はカード搬送路６０を矢印Ｂ方向に搬送され、カード挿入口６１から排出される。
【００２２】
ここで、磁気ヘッド２５の清掃の必要が生じたり、カード搬送路６０内でカード詰まりが発生した場合には、図５（ａ）に示すように、係合部材６５の操作部７２を、引張りコイルばね７５の引張力に抗して図中矢印Ａ方向に移動させる。同図（ｂ）に示すように、係合部材６５の係合部７３の係合面７３ａと突起２４の係合面２４ａとの係合が解除されるので、このままの状態で、同図（ｃ）に示すように、アッパーケース３の前端部を図中反時計方向に回動させることにより、カード搬送路６０が開放される。
【００２３】
このように、係合部材６５の係合部７３に係合する突起２４，２４を、ロアーケース２の側板１２，１３に突設し、これら突起２４，２４をアッパーケース３の側板３３，３４の嵌入孔３３ａ，３４ａから側板３３，３４内に嵌入させるようにしたことにより、従来のように係合部材に係合させるための別の部材を必要としない。したがって、部品点数が削減されるとともに、装置に別の部材を付設することがないので、装置の小型化が図られる。
【００２４】
また、係合部材６５を水平方向に移動自在に支持し、かつ係合部６５の操作部７２の上端面を、カバー５６の表面と同じ面位置に位置付け、カバー５６から突出させていないので、装置の上方に操作部７２の操作空間を設ける必要がなく、このため装置の薄型化を図ることができる。また、係合部材６５に、操作部７２と突起２４に係合する係合部７３とを一体に形成したことにより、部品点数を最小限とすることができ、このため部品点数が削減されるとともに、係合部材６５の移動を直線方向としたことにより、構造が簡単になる。
【００２５】
係合部材６５の操作部７２の上端面をアッパーケース３のカバー５６の表面と同一の高さとしたが、カバー５６の表面よりも低く位置付けてもよく、要は、操作部７２がカバー５６の表面よりも突出していなければよい。また、カードリーダ１によって処理されるカードを磁気カード８０としたが、ＩＣカード等各種のカードに適用できる。
【００２６】
【発明の効果】
以上説明したように、請求項１に係る発明によれば、部品点数が削減されるとともに、小型化が図られる。
【図面の簡単な説明】
【図１】  本発明に係るカードリーダにおいてカード搬送路を開いた状態を示す側断面図である。
【図２】  本発明に係るカードリーダにおけるロアーケースの平面図である。
【図３】  本発明に係るカードリーダにおけるアッパーケースを示し、同図（ａ）は平面図、同図（ｂ）は同図（ａ）におけるIII（ｂ）-III（ｂ） 線断面図、同図（ｃ）は同図（ａ）におけるIII（ｃ）-III（ｃ） 線断面図である。
【図４】  本発明に係るカードリーダにおいて、カード搬送路を閉じる動作を示す要部の側断面図で、同図（ａ）はカード搬送路を閉じ始めた状態を示し、同図（ｂ）は突起が係合部に係合し始めた状態を示し、同図（ｃ）は係合部材が移動し始めた状態を示し、同図（ｄ）はカード搬送路が閉じた状態を示す。
【図５】  本発明に係るカードリーダにおいて、カード搬送路を開放する動作を示す要部の側断面図で、同図（ａ）はカード搬送路を閉じた状態を示し、同図（ｂ）は係合部材を移動させ突起との係合を解除した状態を示し、同図（ｃ）はカード搬送路を開いた状態を示す。
【符号の説明】
１…カードリーダ、２…ロアーケース、３…アッパーケース、１２，１３…側板、１４…仕切板、２４…突起、３１…底板、３３，３４…側板、３３ａ，３４ａ…嵌入孔、６５…係合部材、７２…操作部、７３…係合部、７３ａ…係合面、７３ｂ…摺動面、８０…磁気カード。
【図１】
0003700525.tif 000002
【図２】
0003700525.tif 000003
【図３】
0003700525.tif 000004
【図４】
0003700525.tif 000005
【図５】
0003700525.tif 000006